(57)【要約】【課題】深さが浅く液体から気泡を除けるシスターン装置とその装置付き器具を提供する。【解決手段】図の矢印に示すように、液体導入部３から導入された液体が液体通過通路部５を整流状に流れ、その液体が流れの方向を変えて液体通過室６に導入され、液体通過室６を通って液体導出部４側に導かれるようにする。液体通過通路部５は、少なくとも入口側を通る液体の液面が液体通過通路部５の天井部位によって液封された状態で通過する液封通路部と成す。液体通過室６は液体通過通路部５よりも大きい容積を有し、液体が液体通過室６を流れるときに該液体の流速が低下すると共に該液体に含まれていた気泡が該液体の表面に浮いた状態で該液体の液面に浮いて互いにぶつかりながら流れることによって前記気泡同士がはじかれて消泡する構成と成す。【選択図】図２
2018048785.tif 000002
【特許請求の範囲】
【請求項１】
液体を循環させる循環路に設けられるシスターン装置において、該シスターン装置は、該シスターン装置に液体を導入する液体導入部と、該シスターン装置から液体を導出する液体導出部と、前記液体導入部から導入された液体が整流状に流れる液体通過通路部と、該液体通過通路部を通過した液体が流れて前記液体導出部側に導かれる液体通過室とを有し、該液体通過室は前記液体通過通路部の一方側の側壁がわに隣接して設けられて、該液体通過通路部を通った液体が流れの方向を変えて前記液体通過室に導入される構成を有し、前記液体通過通路部は該液体通過通路部の少なくとも入口側を通る液体の液面が該液体通過通路部の天井部位によって液封されて液体中の気泡が液体表面に導出された状態で通過する液封通路部と成し、前記液体通過室は前記液体通過通路部よりも大きい容積を有し、該液体通過通路部から前記液体通過室に導入される液体が該液体通過室を流れるときに該液体の流速が低下すると共に該液体に含まれていた気泡が該液体から分離され、該液体の液面に浮いて互いにぶつかりながら流れることによって前記気泡同士がはじかれて消泡すると成していることを特徴とするシスターン装置。
【請求項２】
液体通過通路部から液体通過室に導入される液体が該液体通過室の前記液体通過通路部側とは反対側の内壁面側に向かって流れて該内壁面に沿った方向に流れた後、前記液体通過通路部側の内壁面側に向かって流れて該内壁面に沿った方向に流れて液体導出部側に流れるといったように、前記液体通過室の内壁面に沿って周回する態様で流れて導出される構成と成していることを特徴とする請求項１記載のシスターン装置。
【請求項３】
請求項１または請求項２記載のシスターン装置が液体を循環させる循環路に接続され、前記液体を加熱する燃焼加熱手段と、該燃焼加熱手段の排気ガスを外部に排出する排気部とを有し、前記シスターン装置の液体通過室は液体通過通路部の液体通過方向の途中部から液体通過終端部に至る側壁に隣接して設けられて前記液体通過通路部の前記液体通過方向と交わる方向に張り出し、前記液体通過通路部の液体導入端部から前記液体通過室の配設部に至る位置に形成されている側壁に隣接させて前記排気部が配置されて、該排気部と前記シスターン装置とが器具の上端側に設けられていることを特徴とするシスターン装置付き器具。
【発明の詳細な説明】
【技術分野】
【０００１】
本発明は、例えば暖房回路等の液体循環回路等の液体循環路に設けられるシスターン装置およびそのシスターン装置を備えたシスターン装置付き器具に関するものである。
【背景技術】
【０００２】
例えば床暖房装置等の暖房器具に、温水等の暖房用の液体の熱媒体を供給する機能を備えた熱源装置が用いられている。このような熱源装置には液体の熱媒体を循環させる循環路（液体循環路）が設けられており、その循環路にはシスターン装置が設けられている。シスターン装置は、その一部分が大気開放と成しており、循環路を循環する液体の加熱等によって液体の体積膨張が生じた際に、その圧力を逃がすことができるように形成されている。また、シスターン装置には、液体がシスターン装置から溢れる程に体積膨張したときに、その溢れた液体を外部に排出できるようにするオーバーフロー通路が設けられている。このような機能を備えたシスターン装置を液体の循環路に設けることによって、液体循環路を通しての液体循環動作が良好に行える。
【０００３】
ところで、熱源装置内の液体循環路には、熱源装置の外部に配設された連絡管路が接続され、その連絡管路を介して液体（熱媒体）が熱源装置から暖房装置内の管路に供給されるが、この暖房装置に供給される液体内に気泡が含まれていると、例えば床暖房装置等（温水マット等）の暖房装置内の管路を液体が通る際に、液体内に含まれていた気泡が流れる音や気泡が弾ける音がすることになる。そのため、例えば床暖房装置においては床から前記のような音が発生して利用者に不快な思いをさせてしまい、迷惑がかかるといった問題が生じる。
【０００４】
そこで、シスターン装置を液体が通る時に液体内の気泡が抜けるようにすることが提案されており、その一例として、シスターン装置内に仕切りを設け、シスターン装置に導入された液体を前記仕切りに衝突させて気泡が抜けるようにしようとするものが提案されている（例えば特許文献１、参照）。なお、床暖房装置等の暖房装置内の管路を通った液体は、暖房装置と熱源装置との連絡管路を通って熱源装置に戻される。
【先行技術文献】
【特許文献】
【０００５】
【特許文献１】実開平２−１１６６０８号公報
【発明の概要】
【発明が解決しようとする課題】
【０００６】
ところで、狭い場所に配置が可能なスリムタイプの給湯器が提案されており、このようなスリムタイプの給湯器においては、スペースの都合等を考慮して、シスターン装置を装置の天板近傍（排気口の近傍）に設けることが好ましい。その場合、シスターン装置の高さを低めに（深さを浅く）形成することが好ましいと考えられ、前記特許文献１に提案されているような深型のシスターン装置ではなく、深さが浅く（高さが低く）、良好に気泡を抜くことができるシスターン装置の開発が重要であると、本発明者は考えた。
【０００７】
本発明は、上記課題を解決するためになされたものであり、その目的は、液深が低くても液体に含まれる気泡を効率的に抜くことができるシスターン装置と、そのシスターン装置を備えたシスターン装置付き器具（例えば給湯器等の熱源装置等）を提供することにある。
【課題を解決するための手段】
【０００８】
本発明は上記目的を達成するために、次の構成をもって課題を解決する手段としている。すなわち、第１の発明のシスターン装置は、液体を循環させる循環路に設けられるシスターン装置において、該シスターン装置は、該シスターン装置に液体を導入する液体導入部と、該シスターン装置から液体を導出する液体導出部と、前記液体導入部から導入された液体が整流状に流れる液体通過通路部と、該液体通過通路部を通過した液体が流れて前記液体導出部側に導かれる液体通過室とを有し、該液体通過室は前記液体通過通路部の一方側の側壁がわに隣接して設けられて、該液体通過通路部を通った液体が流れの方向を変えて前記液体通過室に導入される構成を有し、前記液体通過通路部は該液体通過通路部の少なくとも入口側を通る液体の液面が該液体通過通路部の天井部位によって液封されて液体中の気泡が液体表面に導出された状態で通過する液封通路部と成し、前記液体通過室は前記液体通過通路部よりも大きい容積を有し、該液体通過通路部から前記液体通過室に導入される液体が該液体通過室を流れるときに該液体の流速が低下すると共に該液体に含まれていた気泡が該液体から分離され、該液体の液面に浮いて互いにぶつかりながら流れることによって前記気泡同士がはじかれて消泡すると成していることを特徴とする構成をもって課題を解決するための手段としている。
【０００９】
また、第２の発明のシスターン装置は、前記第１の発明の構成に加え、前記液体通過通路部から液体通過室に導入される液体が該液体通過室の前記液体通過通路部側とは反対側の内壁面側に向かって流れて該内壁面に沿った方向に流れた後、前記液体通過通路部側の内壁面側に向かって流れて該内壁面に沿った方向に流れて液体導出部側に流れるといったように、前記液体通過室の内壁面に沿って周回する態様で流れて導出される構成と成していることを特徴とする。
【００１０】
さらに、第３の発明のシスターン装置付き器具は、第１または第２の発明のシスターン装置が液体を循環させる循環路に接続され、前記液体を加熱する燃焼加熱手段と、該燃焼加熱手段の排気ガスを外部に排出する排気部とを有し、前記シスターン装置の液体通過通路部は液体通過方向の長さが液体通過室よりも長く形成されてその長く形成された部位の側壁がわ空間領域に前記排気部が配置され、該排気部と前記シスターン装置とが器具の上端側に設けられていることを特徴とする。
【発明の効果】
【００１１】
本発明のシスターン装置によれば、液体導入部から導入された液体は液体通過通路部を整流状に流れて液体通過室に導入され、該液体通過室を流れて液体導出部から導出されるが、該液体通過通路部は、該液体通過通路部の少なくとも入口側を通る液体の液面が該液体通過通路部の天井部位によって液封されて液体中の気泡が液体表面に導出された状態で通過する液封通路部と成しているので、液体通過通路部を液体が通る時に泡が発生したりすることを防ぐことができ、シスターン装置に導入される液体に新たな泡を混入させることなく、液体を液体通過室に送ることができる。
【００１２】
また、本発明において、前記液体通過室は前記液体通過通路部の一方側の側壁がわに隣接して設けられ、液体通過通路部よりも大きい容積を有しており、液体通過通路部を通った液体は、その流れの方向を変えて液体通過室に導入され、該液体通過室を流れるときに該液体の流速が低下すると共に該液体に含まれていた気泡が該液体から分離され、該液体の液面に浮いて互いにぶつかりながら流れることにより、液体に含まれていた気泡を効率的に消泡することができ、泡が消された状態の液体を液体導出部から導出することができる。
【００１３】
つまり、本発明のシスターン装置は、液体を整流状に流す液体通過通路部と、該液体通過通路部の一方側の側壁がわに隣接して設けられて液体通過通路部より容積が大きい液体通過室とを設けることにより形成される簡単な構成であり、深さを浅く形成でき、しかも、液体通過通路部から液体通過室を通して導出する液体の流れによって、液体中に含まれていた気泡を、簡単、かつ、良好に除くことができる。
【００１４】
また、本発明のシスターン装置において、液体通過通路部から液体通過室に導入される液体が該液体通過室の前記液体通過通路部側とは反対側の内壁面側に向かって流れて該内壁面に沿った方向に流れた後、前記液体通過通路部側の内壁面側に向かって流れて該内壁面に沿った方向に流れて液体導出部側に流れるといったように、前記液体通過室の内壁面に沿って周回する態様で流れて導出される構成とすることにより、非常に効率的に気泡を除くことができる。
【００１５】
さらに、液体を循環させる循環路を有する器具の循環路に、本発明のシスターン装置を設けることによって、前記のように効率的に液体からの気泡を除くことができ、例えば循環路に暖房装置を接続した場合に、暖房装置内の管路を液体が通る際に、液体内に含まれていた気泡が流れる音や気泡が弾ける音が暖房装置側で生じるといった不具合を防ぐことができる。また、本発明のシスターン装置の液体通過通路部は、液体通過方向の長さが液体通過室よりも長く形成されており、その長く形成された部位の側壁がわ空間領域に器具の排気部（例えば排気筒）が配置されているので、シスターン装置を器具の上部側に排気部と隣接させて設けることができ、狭いスペースであっても配置可能な器具を実現できる
【図面の簡単な説明】
【００１６】
【図１】本発明に係るシスターン装置の一実施例を説明するためのシスターン本体と、蓋体に設けられている突出部および仕切り板の模式的な斜視図である。
【図２】実施例のシスターン装置を説明するためのシスターン本体の模式的な平面図を水の流れと共に示す説明図である。
【図３】実施例のシスターン装置の模式的な平面図である。
【図４】実施例のシスターン装置について、図３のＡ−Ａ’断面により示すシスターン本体（ａ）とシスターン装置（ｂ）と水の流れ（ｃ）の模式的な説明図である。
【図５】実施例のシスターン装置について、図３のＢ−Ｂ’断面により示すシスターン本体（ａ）とシスターン装置（ｂ）の模式図である。
【図６】実施例のシスターン装置について、図３のＣ−Ｃ’断面により示すシスターン本体（ａ）とシスターン装置（ｂ）の模式図である。
【図７】実施例のシスターン装置を図１のＤ方向から見た模式的な説明図である。
【図８】実施例のシスターン装置における液体通過通路部の入口側の水の流れを図３のＡ−Ａ’断面の一部により示す模式的な説明図（ａ）と、比較例について同様に示す模式的な説明図（ｂ）、（ｃ）、（ｄ）である。
【図９】シスターン装置を備えた給湯器のシステム構成例を説明するための模式的な説明図である。
【図１０】実施例のシスターン装置付き器具である給湯器の構成を説明するための、給湯器のケースを省略して示す説明図である。
【図１１】図１０に示す給湯器の構成を説明するための、図１０とは反対側から見た給湯器のケースを省略した図により示す説明図である。
【図１２】図１０、図１１に示す給湯器の構成を説明するための、図１０と図１１とに隣接する面から見た給湯器のケースを省略した図により示す説明図である。
【図１３】本発明に係るシスターン装置の他の実施例を示す模式的な平面図である。
【発明を実施するための形態】
【００１７】
以下、本発明の実施の形態を図面に基づき説明する。
【実施例】
【００１８】
図１には、本発明に係るシスターン装置の一実施例の要部構成が模式的な斜視図により示されている。本実施例のシスターン装置１は、液体を循環させる循環路に設けられるシスターン装置であり、例えば、図９に示されるような給湯器２７等の熱源装置の液体循環通路（循環路）３７に設けられるものである。なお、この給湯器２７のシステム構成（図９）及び器具内構成（図１０〜図１２）についての説明は後述する。
【００１９】
本実施例のシスターン装置１は、図１に示されるようなシスターン本体２を有しており、このシスターン本体２は、図２に示されるような平面構成を有し、図４（ａ）、図５（ａ）、図６（ａ）にそれぞれ示される断面構成を有している。また、本実施例のシスターン装置１は、図３、図４（ｂ）、図５（ｂ）、図６（ｂ）、図７にそれぞれ示されるように、そのシスターン本体２の上側に蓋体１３を設けて形成されている。なお、シスターン装置１の素材は特に限定されないが、例えば樹脂製とすると、軽量となり好ましい。
【００２０】
また、図１〜図７において、符号７，８，９は仕切り板、符号１０はスロープ、符号３０〜３２はシスターン装置１を給湯器２７に取り付けるための取り付け部、符号３３〜３５は、シスターン装置１内の液位（水位）を検出する液位検出手段としての電極をそれぞれ示す。
【００２１】
本実施例のシスターン装置１は、液体（本実施例においては温水）を導入する導入口（液体導入部）と液体を導出する導出口（液体導出部）とを有しており、これらはシスターン本体２に設けられている。つまり、図１に示されるように、シスターン本体２には、シスターン本体２の下部側から液体を導入する液体導入部３と、シスターン装置１から液体を導出する液体導出部４とが形成されている。
【００２２】
また、シスターン本体２には、液体導入部３から導入された液体が整流状に流れる液体通過通路部５と、該液体通過通路部５を通過した液体が流れて液体導出部４側に導かれる液体通過室６と、シスターン装置１の水位を検出するための水位検出室６０とが設けられている。液体通過室６は液体通過通路部５の一方側の側壁がわに隣接して設けられており、該液体通過通路部５を通った液体が流れの方向を変えて（ほぼ直角方向に方向転換して）液体通過室６に導入される構成（図２、参照）を有している。
【００２３】
図２に示されるように、シスターン装置１の液体通過通路部５は液体通過方向の長さが液体通過室６よりも長く形成されており、液体通過室６が液体通過通路部５の液体通過方向と交わる方向に張り出して平面形状が旗形状を呈しているので、図２のＳで示される空間領域に（前記のように液体通過室６よりも長く形成された部位の側壁がわ空間領域に）後述するように、給湯器２７の上端側に設けられる排気部４３（図１１、参照）が配設されるようになっている。
【００２４】
図４（ｂ）、（ｃ）に示されるように、シスターン本体２の上側に設けられた蓋体１３には、液体通過通路部５の入口側において下方側に突出する突出部１４が設けられている（図１の斜視図も参照）。本実施例では、突出部１４は、図１に示されるように板をコ字形状に折り曲げ形成した板体（断面コ字形状の板体）により形成されており、この突出部１４の突出先端面（下側の面）１５によって、液体通過通路部５の入口側を通る液体の液面が液封される構成と成しており、それにより、液体通過通路部５の入口側は該液体通過通路部５を通る液体の液面が該液体通過通路部５の天井部位（入口側天井部位である面１５）によって液封された状態で通過する液封通路部と成している。
【００２５】
つまり、本実施例において、液体通過通路部５の入口側の天井部位は、液体通過通路部５の出口側の天井部位および液体通過室６の天井部位５６（図６（ｂ）、参照）ならびに水位検出室６０の天井部位よりも下側に突出した（突出部１４を設けて突出させた）低天井部位と成しており、図４（ｃ）および図８（ａ）に示されるように、該低天井部位（突出部１４の面１５）の高さと液体通過通路部５を通る液体（ここでは温水）の液位とが同じ（または略同じ）高さと成し、低天井部位（面１５）の下側であって液体通過通路部５の入口側の底部に液体導入部３が設けられている。
【００２６】
そして、液体導入部３から液体通過通路部５に導入される液体が、液体通過通路部５の底部側から面１５側に向けて流れて該面１５に衝突し、前記液体に含まれていた気泡が該液体から分離されて液体の液面に出て、（例えば静電力等の作用によって）面１５に付着するような態様となり、面１５に添いながら、液体通過通路部５を通る液体と共に液体通過通路部５の出口側に流れ、その液体の表面に浮いた状態で（一度浮くと表面張力のような作用で沈まず）液体通過室６に流れる構成と成し、後述するように液体通過室６を通って消泡されるものである。
【００２７】
なお、給湯器２７においては、シスターン装置１が設けられている液体循環通路３７を液体（水等）が通るときに、液中の気泡が砕かれて小さくなってシスターン装置１の液体導出部３から液体通過通路部５に導入されるが、一般に、水等の液体に含まれる泡（気泡）は、その大きさが大きいと液体の液面に浮き上がるのに対し、小さい泡は浮き上がってこない。そのため、小さい泡は、本実施例のような気泡分離構成と後述する消泡構成とを設けないシスターン装置においては液体中に含まれたままの状態で液体の流れ（本実施例では水流）に乗ってシスターン装置から流れ出てしまうことになり、その状態で（水中に気泡が混入した状態で）例えば床暖房装置等の管路に導入されてしまうことになる。そうすると、前記の如く、暖房装置内の管路を通る液体内に含まれていた気泡が流れる音や気泡が弾ける音がしてしまうといった問題が生じてしまうことになる。
【００２８】
そこで、本実施例では、図４（ｃ）および図８（ａ）に示されるように、液体通過通路部５の底部に液体導入部３を設け、この液体導入部３から（下側の入口から）入った液体（ここでは水）が上側に上がって流れるところ（液体導入部３の上側）に突出部１４の面１５を設け（低天井部位を形成し）、その面１５に液体がぶつかって水平方向に流れる際に、液体中の気泡が面１５にぶつかることで液体表面に出て、例えば静電力によって面１５に付着し、面１５に添って液体と共に流れるようにしている（突出部１４の面１５が形成されている板を誘泡板として気泡が板の面１５に添って液体（水）の表面を流れるようにしている）。
【００２９】
また、本実施例では、液面と面１５とが同じ（またはほぼ同じ）高さ（図４（ｃ）のＥの範囲内の高さ）となるように（面１５の右端部が水面と同じまたは同じ高さとなるように）することで、気泡が面１５を通り過ぎた後にも（図において面１５の右端を過ぎた後にも）液面上に浮かんだ状態で液体通過室６側に流れていくようにしている。
【００３０】
つまり、液位が高すぎると、図８（ｂ）に示されるように、面１５に添って液体が流れた直後に液位が急上昇することになるため、液面の気泡が液位急上昇時の液体の速い流れに巻き込まれる態様で（渦が発生して）気泡が液体の中に入って（液体中に放出されて）しまうことになるし、その逆に、液位が低すぎると、面１５に液体（例えば水）がぶつからないので液中の気泡はそのまま液中を流れてしまったり、図８（ｃ）に示されるように、面１５に添って液体が流れた直後に液位が急下降するときの下向きの流れによって気泡が引き込まれ、面１５に付いた気泡が液体の中に入って（潜って）しまったりすることから、本実施例のような効果を奏することができない。
【００３１】
すなわち、シスターン装置１において、液体通過通路部５の液面の高さ（液位）が重要となり、本実施例では、電極３３〜３５によって液位を検出し、液面の高さを突出部１４の面１５と同じまたはほぼ同じ高さになるように（例えば面１５の高さ±２ｍｍに）している。なお、この液位（水位等）の調節は、例えば後述する給湯器２７の接続通路３８を用いて、給湯器２７に設けられている液位調節手段（図示せず）の水の補給等によって適宜行われる。
【００３２】
また、本実施例においては、図８（ａ）、（ｄ）に示されるように、シスターン装置本体２には液体通過通路部５の入口側端部に段部４４が形成され、シスターン装置本体２上に蓋体１３を固定する際に、段部４４に突出部１４が隙間無く嵌合されるように形成されており、この構成によっても、気泡が液面上に浮かんだ状態で液体通過室６側に流れていくようにしている。
【００３３】
つまり、本実施例において、突出部１４は図１に模式的に示されるような断面コ字形状の板によって形成されているので、突出部１４と液体通過通路部５の入口側（図８の左端側）とに隙間が生じると、図８（ｄ）に示されるように、突出部１４の面１５を形成する板の上に水が流れてしまい、その水が突出部１４の右端部から流れ落ちるときに、面１５に添って流れてきた気泡が水中に入ってしまう（図８（ｄ）の破線で示されている泡が破線矢印のように水中に潜り込んでしまう）。そうなると、気泡は、水中に入ったままの状態で水流と共に液体通過通路部５の出口側に流れてしまうので、段部４４に突出部１４が隙間無く嵌合されるように形成されている。
【００３４】
なお、例えば突出部１４のような、液体がぶつかって泡が液体から導出されて付着する機能を有する誘泡板を水等の液中に設けても、本実施例のような効果を奏することはできない。つまり、水等の液体は誘泡板と交わる方向から誘泡板にぶつかり（例えば誘泡板を垂直方向に設けた場合は液体が例えば略水平方向から誘泡板に衝突）することにより気泡が誘泡板に付着するが、その後、泡が誘泡板から離れた後に液中に放出されることになるため、液体の表面に浮かんだ状態で液体の流れと共に流れていくことはない。すなわち、本実施例では、誘泡板としての突出部１４の面１５を水平方向に形成し、かつ、その面１５を液面と同じまたはほぼ同じ高さに設ける（前記のように、面１５の高さと液体通過通路部５を通る液体（ここでは温水）の液位とが同じ（または略同じ）高さと成すようにする）という特有の構成によって、前記のような効果を奏することができる。
【００３５】
また、本実施例において、前記の如く、液体（水）中に含まれていた気泡の多くは液体通過通路部５を通るときに低天井部位（面１５）に衝突して分離されるが、このときの分離作用では分離しきれずに液体中に含まれたまま液体通過室６側に流れるものも少しある。ただし、本実施例では、図１等に示されるように、液体通過室６は液体通過通路部５よりも大きい容積を有しており、液体通過通路部５から液体通過室６に導入される液体が前記の如く流れの方向を変えて導入され、液体通過室６を流れるときに該液体の流速が低下することにより、液体中の気泡が分離されて表面側に浮き、液体（水）中に含まれていた殆ど全ての気泡を液体から分離することができる。
【００３６】
そして、本実施例では、このように液体が液体通過室６に導入されるときに分離されて液体表面に浮いた気泡も、前記のように液体通過通路部５を通って流れるときに液体から分離されて液体表面に浮いて流れてきた気泡も、いずれも、液体通過室６において液体表面で互いにぶつかりながら流れることによって、気泡同士がはじかれて消泡する構成とする（液体通過室６が消泡室と成している）ことにより、液体（水）に含まれていた気泡を効率的に消泡することができ、泡が消された状態の液体を液体導出部から導出することができる。
【００３７】
図２には、本実施例のシスターン装置１を流れる液体の流れが矢印により示されている。同図に示されるように、液体導入部３からシスターン装置１に導入された液体は、液体通過通路部５を整流状に流れて気泡が液面上に浮かんだ状態で液体通過通路部５から液体通過室６に導入され、液体通過室６を通って液体導出部４から導出される。ここで、液体通過室６に導入される液体は、液体通過室６の液体通過通路部５側とは反対側の内壁面（仕切り９）側に向かって流れて該内壁面（仕切り９）に沿った方向に流れた後、前記液体通過通路部５側の内壁面（仕切り８）側に向かって流れて該内壁面（仕切り８）に沿った方向に流れて液体導出部側に流れるといったように、液体通過室６の内壁面に沿って周回する態様で流れて導出される。
【００３８】
以上のように、本実施例では、液体通過室６を通過するときに前記の如く気泡がぶつかりあって消泡され、泡のない液体（温水）が液体導出部４からシスターン装置１の外部に導出される。なお、図４（ｃ）には、液体通過通路部５に導入された液体（温水）に気泡が含まれていても、その気泡が液体通過室６を通る時に消えて流れていく状態（図の破線で記されている液体の液面等を参照）が模式的に示されている。また、本実施例では、消泡室と成している液体通過室６を通る際に前記のように気泡がぶつかりあって消泡されると共に、液体の出口方向（液体導出部４側に流れる方向）に直行する一方向の流れが形成されることにより、ここでも新たな泡の発生も抑制されるので、効率的に消泡が行われる。
【００３９】
さらに、本実施例では、図４（ｃ）および図１等に示されるように、液体が液体導出部４側に流れる際の液体の流れを規制する仕切り板５０が蓋体１３側に設けられており、蓋体１３をシスターン本体２に被せたときに液体導出部４よりも液体の流れの上流側で液体導出部４の付近の位置に配設され、仕切り板５０の底部（底面５１）とシスターン本体２との間に形成される間隔のみ液体が通過できるように形成されている。このようにすることで、液体通過室６と水位検出室６０と液体通過通路部５の水位（液位）が互いにほぼ等しい水位となり、電極３３〜３５によってシスターン装置１内の水位が適宜、正確に検出されるように形成されており、前記のように液体通過通路部５の水位が突出部１４の面１５の高さまたはほぼ同じ高さとなるように調節可能と成している。
【００４０】
本実施例のシスターン装置１は以上のように構成されており、このシスターン装置１を備えた給湯器２７は、例えば図９に示されるようなシステム構成を有している。同図に示されるように、給湯器２７は器具ケース６２を有しており、図１０、図１１、図１２には、給湯器２７の器具ケース６２を省略した状態の構成が模式的に示されている。
【００４１】
図９に示されるように、器具ケース６２内には燃焼室２４が設けられており、燃焼室２４内には、暖房用熱交換器２８（２８ａ，２８ｂ）と、暖房用バーナ１６とが設けられている。暖房用熱交換器２８ｂは排気ガス中の顕熱を回収するメインの熱交換器であり、暖房用熱交換器２８ａは排気ガス中の潜熱を回収する潜熱回収用熱交換器である。暖房用熱交換器２８は、前記液体循環通路３７に設けられており、この液体循環通路３７は、図示されていない暖房装置に、暖房用の液体としての温水を前記連絡管路（図示せず）を介して供給し、暖房装置内の通路と液体循環通路とを通して温水を循環させる閉回路である。
【００４２】
また、燃焼室２４内には、給湯バーナ１７と、給湯バーナ１７により加熱される給湯熱交換器２９（２９ａ，２９ｂ）とが設けられている。給湯熱交換器２９ｂは排気ガス中の顕熱を回収するメインの熱交換器であり、給湯熱交換器２９ａは排気ガス中の潜熱を回収する潜熱回収用熱交換器である。なお、潜熱回収用熱交換器（給湯熱交換器２９ａおよび前記暖房用熱交換器２８ａ）においてはドレンが発生するので、このドレンを回収して中和し、給湯器２７の外部に導く構成が示されているが、図９においては図示を省略している。
【００４３】
暖房用バーナ１６および給湯バーナ１７には、それぞれのバーナ１６，１７に燃料ガスを供給するガス管１９が接続され、ガス管１９は分岐形成されて、給湯バーナ１７と暖房用バーナ１６に適宜、燃料ガスが供給されるものであり、この燃料ガス供給は、ガス管１９に設けられている電磁弁や比例弁（いずれも図示せず）の開閉や開閉量の調整により行われる。暖房用バーナ１６と給湯バーナ１７の燃焼の給排気を行なう燃焼ファン１８が設けられ、この燃焼ファン１８により空気が送られ、暖房用バーナ１６や給湯バーナ１７の燃焼が行われる。この燃焼により発生する排気ガスは、燃焼室２４の出口である排気口２３から給湯器２７の外部に排出される（図１１に示した排気部４３を通って排気口２３から外部に排出される）。
【００４４】
前記給湯熱交換器２９ａの入口側には給水通路２５が設けられており、給水通路２５には、給水通路２５を流れる湯水の量を検出する流量検出手段と入水温度を検出する入水温度センサと、給湯流量を可変するため水量サーボが設けられている（いずれも図示せず）。また、給水通路２５は、接続通路３８と図示されていない補給水電磁弁を介して、シスターン装置１に接続されており、シスターン装置１に水を適宜補給できるようになっている。給湯熱交換器２９ｂの出口側には給湯通路２６が設けられており、給湯通路２６の先端側は、適宜の給湯先に導かれている。給湯通路２６には、出湯湯温検出センサ（図示せず）が適宜設けられる。なお、給水通路２５から導入される水が給湯熱交換器２９を通って給湯通路２６から導出される経路が、図１０に実線矢印により示されている。
【００４５】
また、給湯通路２６と給水通路２５とを、給湯交換器２９を介さずに接続するバイパス通路２１が設けられ、バイパス通路２１の給水通路２５との接続部には、図示されていないバイパスサーボ（流量弁）が設けられている。
【００４６】
前記液体循環通路３７には、液体の熱媒体（ここでは温水）を、前記暖房用熱交換器２８とシスターン装置１とを介して循環させる液体循環ポンプ１６が設けられている。なお、図１０〜図１２に示されるように、シスターン装置１は給湯器２７の上端部に設けられ、シスターン装置１の近傍に前記排気口２３が設けられている。シスターン装置１には、例えば液体の体積膨張等によってシスターン装置１から溢れた液体のオーバーフロー通路が接続され（図示せず）、その先端部は給湯器２７の外部（排水口等）に導かれている。
【００４７】
図９に示されるように、液体循環通路３７は、器具ケース４２内に設けられた管路４０〜４６を有し、管路４５には低温能力切り替え熱動弁５７が設けられている。この給湯器２７において、液体循環通路３７を通る液体（ここでは温水）は、図９の矢印に示されるように順に通って循環するように形成されている（図１０の破線矢印も参照）。暖房用熱交換器２８ｂの出側に設けられている管路４１には、暖房用熱交換器２８ｂを通って導出される液体の温度を検出する暖房高温サーミスタ５８が設けられており、暖房用熱交換器２８ｂの入側の管路４０には、暖房用熱交換器２８に導入される液体の温度を検出する暖房低温サーミスタ５９が設けられている。
【００４８】
なお、図９には図示されていないが、給湯器２７には、浴槽湯水の追い焚きを行うための追い焚き循環路や追い焚き熱交換器が、例えば前記液体循環通路３７と熱的に接続されて適宜設けられるものであり、その説明は省略するが、追い焚き循環路の接続部が図１０の破線枠Ａ内に設けられている。破線枠Ａ内に設けられている４つの接続部のうち、一番手前側には同図の矢印で示している暖房戻り用の（暖房装置へ液体を供給した後にその液体を給湯器２７に戻すための）接続部が設けられ、その奥側に暖房（高温暖房）の往き用の（暖房装置へ液体を供給するための）接続部が設けられ、その奥側に、追い焚き循環路における浴槽湯水からの戻り側通路の接続部が設けられ、さらに奥側には追い焚き循環路における浴槽湯水への往き側通路の接続部が設けられている。
【００４９】
本実施例のシスターン装置１を備えた給湯器２７は以上のように形成され、給水通路２５、給湯熱交換器２９、給湯通路２６を通しての給湯機能と、液体循環通路３７を通して温水を暖房装置に供給する暖房機能と、前記追い焚き循環路を通しての浴槽湯水の追い焚き機能を有している。これらの機能は周知であるため詳細説明は省略するが、給湯器２７は、図１０〜図１２に示されるように縦長形状のスリムタイプであり、狭い場所に配置が可能である。
【００５０】
そして、実施例のシスターン装置１は、深さを浅く形成でき、図１０〜図１２に示されるように、給湯器２７の上端側に設けることができ、液体通過通路部５から液体通過室６を通して導出する液体の流れによって、簡単に、かつ、良好に気泡を除くことができるので、液体循環通路３７に設けられる暖房用熱交換器２８内を液体（温水）が通る時に、液体に含まれる気泡に起因する音が発生することを防ぐことができ、利用者等に不快な思いをさせてしまうといったことを防止できる。
【００５１】
なお、本発明は、前記実施例に限定されるものでなく、本発明の技術的範囲を逸脱しない範囲において様々な態様を採り得る。例えば、シスターン装置１の形状や材質、大きさ等の詳細な構成は前記実施例のシスターン装置１の形状に限定されることはなく適宜設定されるものであり、例えば前記実施例では突出部１４を断面コ字形状の板に形成したが、板の上に水が入らないように（図８（ｄ）に示したように図の右端から水が入るのを防ぐために）箱形状に形成してもよいし、ブロック体により形成してもよい。
【００５２】
また、例えば図１３に示されるように、シスターン装置１の平面形状をコ字形状とし、液体導入部３を２カ所設けてもよい。この場合も、液体通過通路部５の液体通過方向の長さが液体通過室６よりも長く形成され、液体通過室６が液体通過通路部５の液体通過方向と交わる方向に張り出しており、図１３のＳで示される空間領域に（液体通過通路部５が液体通過室６よりも長く形成された部位の側壁がわ空間領域に）、給湯器２７の排気部４３が配設されるようにでき、給湯器２７等の器具の上端側に排気部４３とシスターン装置１とを配置できる。
【００５３】
さらに、前記実施例では、シスターン装置１の突出部１４は液体通過通路部５の入口側にのみ設けて低天井部位（面１５）を液体通過通路部５の入口側にのみ設けたが、突出部１４の配設等によって形成される低天井部位は液体通過通路部５の出口側に至る適宜の位置まで形成されていてもよい。
【００５４】
さらに、本発明のシスターン装置付き器具は、例えば前記実施例のようなシスターン装置１が、液体を循環させる循環路に設けられていればよく、その詳細な構成は、必ずしも図９〜図１２に示したような構成を有していなくともよい。
【００５５】
また、本発明のシスターン装置は、前記実施例に示したような構成とすることが好ましいが、その形状や大きさ、素材等は、例えばシスターン装置付き器具に対応させて適宜設定されるものであり、前記実施例のような液体導入部３と液体導出部４と液体通過通路部５と液体通過室６とを有していれば、形状等に前記実施例と異なる箇所があってもかまわない。
【産業上の利用可能性】
【００５６】
本発明のシスターン装置は、深さを浅く形成でき、簡単に、かつ、良好に気泡を除くことができるので、暖房回路等に設けることができ、シスターン装置付き器具は、例えば暖房機能を備えた家庭用の熱源装置に適用できる。
【符号の説明】
【００５７】
１                    シスターン装置
２                    シスターン本体
３                    液体導入部
４                    液体導出部
５                    液体通過通路部
６                    液体通過室
７，８，９            仕切り板
１３                  蓋体
１４                  突出部
１５                  面
３３〜３５            電極
４４                  排気部
【図１】
2018048785.tif 000003
【図２】
2018048785.tif 000004
【図３】
2018048785.tif 000005
【図４】
2018048785.tif 000006
【図５】
2018048785.tif 000007
【図６】
2018048785.tif 000008
【図７】
2018048785.tif 000009
【図８】
2018048785.tif 000010
【図９】
2018048785.tif 000011
【図１０】
2018048785.tif 000012
【図１１】
2018048785.tif 000013
【図１２】
2018048785.tif 000014
【図１３】
2018048785.tif 000015